(57)【要約】【課題】温度変化に伴った伝送遅延の変化に対応しつつ、且つ優れた電源効率を備える絶縁型スイッチング電源を提供すること。【解決手段】絶縁トランスと、入力端と絶縁トランスの一次巻線との間に接続された第１スイッチング回路と、絶縁トランスの二次巻線に接続された第２スイッチング回路と、第２スイッチング回路と出力端との間に接続されたチョークコイルと、第１スイッチング回路のオンオフ駆動をなす第１駆動部と、第２スイッチング回路のオンオフ駆動をなす第２駆動部と、第１スイッチング回路及び第２スイッチング回路の駆動タイミングを制御する制御部と、第１駆動部及び第２駆動部の温度を測定する温度測定部と、を有し、制御部は、温度測定部による測定結果に対応した伝送遅延補正量に基づいて制御信号の供給タイミングを調整すること。【選択図】図１
2019122169.tif 000002
【特許請求の範囲】
【請求項１】
入力端に入力される電圧を変換して出力端から出力する絶縁型スイッチング電源であって、
前記入力端に接続された一次巻線及び前記出力端に接続された二次巻線を備える絶縁トランスと、
前記入力端と前記一次巻線との間に接続された第１スイッチング回路と、
前記二次巻線に接続された第２スイッチング回路と、
前記第２スイッチング回路と前記出力端との間に接続されたチョークコイルと、
前記第１スイッチング回路のオンオフ駆動をなす第１駆動部と、
前記第２スイッチング回路のオンオフ駆動をなす第２駆動部と、
前記第１駆動部及び前記第２駆動部に制御信号を供給し、前記第１スイッチング回路及び前記第２スイッチング回路の駆動タイミングを制御する制御部と、
前記第１駆動部及び前記第２駆動部の温度を測定する温度測定部と、を有し、
前記制御部は、前記温度測定部による測定結果に対応した前記第１駆動部及び前記第２駆動部の伝送遅延時間から伝送遅延補正量を算出し、前記伝送遅延補正量に基づいて前記制御信号の供給タイミングを調整する絶縁型スイッチング電源。
【請求項２】
前記制御部は、前記伝送遅延時間及び前記伝送遅延補正量を前記第１駆動部及び前記第２駆動部の温度毎にあらかじめ決定した遅延テーブルを備え、前記温度測定部による測定結果に基づいて前記遅延テーブルを参照し、参照結果に基づいて前記制御信号の供給タイミングを調整する請求項１に記載の絶縁型スイッチング電源。
【請求項３】
前記温度測定部は、前記第１駆動部の近傍に設けられた第１温度センサ、及び前記第２駆動部の近傍に設けられた第２温度センサを備える請求項１又は２に記載の絶縁型スイッチング電源。
【発明の詳細な説明】
【技術分野】
【０００１】
本発明は、入力した電圧を変換して出力する絶縁型スイッチング電源に関する。
【背景技術】
【０００２】
スイッチング電源は、入力端及び出力端を有し、入力端から入力した電圧を変換して出力端へ出力している。当該スイッチング電源では、内部に設けられた入力端から電圧を入力させるための第１トランジスタ、及び変換した電圧を出力端から出力させるための第２トランジスタを、専用ＩＣから出力される制御信号によりオンオフすることで、入力端から入力した電圧を変換して出力端から出力している。
【０００３】
上記スイッチング電源は、第１トランジスタ、及び第２トランジスタ両方がオフとなる時間（デッドタイム）を設け、第１トランジスタ、及び第２トランジスタ両方が同時にオンしないように構成されている。当該デッドタイムは、専用ＩＣにより固定されている。例えば、特許文献１においては、非絶縁型スイッチング電源におけるデッドタイムの制御に関する技術が開示され、特許文献２においては、絶縁型スイッチング電源におけるデッドタイムの制御に関する技術が開示されている。
【０００４】
近年における絶縁型スイッチング回路においては、二次側にも制御デバイスとして電界効果型トランジスタ（ＦＥＴ：Field effect transistor）が使用され、一次側と二次側との伝送遅延を考慮した設計が行われている。ここで、一次側におけるスイッチング素子用の制御デバイスと、二次側におけるスイッチング素子用の制御デバイスは所定の温度特性を有しており、温度変化に応じて遅延量が変化する。このため、一次側及び二次側における温度変化に伴った伝送遅延の変化に対応するために、余裕を持たせたタイミングによってスイッチング素子へ制御信号の供給が行われている。
【先行技術文献】
【特許文献】
【０００５】
【特許文献１】特開２００１−１１２２４１号公報
【特許文献２】特開２０１７−５１０４５号公報
【発明の概要】
【発明が解決しようとする課題】
【０００６】
しかしながら、余裕を持たせたタイミングによる制御信号の供給を行うと、デッドタイムを広げる必要性や、伝送遅延を考慮して当該制御信号のパルス幅の調整を行う必要があり、スイッチング素子の特性を最大限生かすことが困難であった。すなわち、優れた特性の範囲内でスイッチング素子の活用が困難となり、スイッチング電源としての電源効率が低下する虞がある。
【０００７】
本発明はこのような事情を考慮してなされたものであり、その目的とするところは、温度変化に伴った伝送遅延の変化に対応しつつ、且つ優れた電源効率を備える絶縁型スイッチング電源を提供することにある。
【課題を解決するための手段】
【０００８】
上記目的を達成するため、本実施形態に係る絶縁型スイッチング電源は、入力端に入力される電圧を変換して出力端から出力する絶縁型スイッチング電源であって、前記入力端に接続された一次巻線及び前記出力端に接続された二次巻線を備える絶縁トランスと、前記入力端と前記一次巻線との間に接続された第１スイッチング回路と、前記二次巻線に接続された第２スイッチング回路と、前記第２スイッチング回路と前記出力端との間に接続されたチョークコイルと、前記第１スイッチング回路のオンオフ駆動をなす第１駆動部と、前記第２スイッチング回路のオンオフ駆動をなす第２駆動部と、前記第１駆動部及び前記第２駆動部に制御信号を供給し、前記第１スイッチング回路及び前記第２スイッチング回路の駆動タイミングを制御する制御部と、前記第１駆動部及び前記第２駆動部の温度を測定する温度測定部と、を有し、前記制御部は、前記温度測定部による測定結果に対応した前記第１駆動部及び前記第２駆動部の伝送遅延時間から伝送遅延補正量を算出し、前記伝送遅延補正量に基づいて前記制御信号の供給タイミングを調整する。
【０００９】
上記構成及び制御部の調整により、絶縁型スイッチング電源の温度が変化した場合であっても、一次側及び二次側の伝送遅延の変動に対応させて、一次側の第１スイッチング回路及び二次側の第２スイッチング回路の駆動タイミングを調整し、所定の駆動タイミングを維持することができる。すなわち、本発明に係る絶縁型スイッチング電源によれば、温度変化に伴った伝送遅延の変化に対応しつつ、且つ優れた電源効率による駆動を実現することが可能になる。
【００１０】
上述した絶縁型スイッチング電源において、前記制御部は、前記伝送遅延時間及び前記伝送遅延補正量を前記第１駆動部及び前記第２駆動部の温度毎にあらかじめ決定した遅延テーブルを備え、前記温度測定部による測定結果に基づいて前記遅延テーブルを参照し、参照結果に基づいて前記制御信号の供給タイミングを調整してもよい。このような遅延テーブルの参照によって制御信号の供給タイミングを調整すると、制御部における演算処理の簡素化が可能となり、制御処理の短縮化及び絶縁型スイッチング電源のコスト低減を図ることができる。
【００１１】
上述した絶縁型スイッチング電源のいずれかにおいて、前記温度測定部は、前記第１駆動部の近傍に設けられた第１温度センサ、及び前記第２駆動部の近傍に設けられた第２温度センサを備えてもよい。これにより、一次側と二次側における温度差が生じる場合であっても、温度変化に伴った伝送遅延の変化により正確に対応することができ、より優れた電源効率による駆動を実現することが可能になる。
【発明の効果】
【００１２】
本実施形態に係る絶縁型スイッチング電源は、温度変化に伴った伝送遅延の変化に対応しつつも、優れた電源効率を備えることができる。
【図面の簡単な説明】
【００１３】
【図１】本実施例に係る絶縁型スイッチング電源の回路図である。
【図２】本実施例に係る絶縁型スイッチング電源を構成するスイッチング素子の駆動を示すタイミングチャートである。
【発明を実施するための形態】
【００１４】
以下、本発明の一実施形態に係る絶縁型スイッチング電源について、図面を参照して説明する。なお、本実施形態は以下に説明する内容に限定されるものではなく、その要旨を変更しない範囲において任意に変更して実施することが可能である。また、実施形態の説明に用いる図面は、いずれも構成部材を模式的に示すものであって、理解を深めるべく部分的な強調、拡大、縮小、または省略などを行っており、構成部材の縮尺や形状等を正確に表すものとはなっていない場合がある。
【００１５】
図１は、本実施形態に係る絶縁型スイッチング電源１０の回路図である。図１に示すように、絶縁型スイッチング電源１０は、入力正極端子Ｖｉｎ+及び入力負極端子Ｖｉｎ-を備える入力端ＶＩ、並びに出力正極端子Ｖｏｕｔ+及び出力負極端子Ｖｏｕｔ-を備える出力端Ｖｏを有している。そして、絶縁型スイッチング電源１０は、入力端ＶＩから入力された入力電圧を所望の出力電圧に変換し、出力端Ｖｏから出力する装置である。
【００１６】
また、図１に示すように、絶縁型スイッチング電源１０は、絶縁トランスＴｒ、一次側（入力側）に位置する第１スイッチング回路ＳＷ１、及び二次側（出力側）に位置する第２スイッチング回路ＳＷ２を有している。絶縁トランスＴｒは、一次側に位置する一次巻線Ｌ１、及び二次側に位置する二次巻線Ｌ２から構成されている。ここで、一次巻線Ｌ１は第１スイッチング回路ＳＷ１を介して入力端ＶＩに接続され、二次巻線Ｌ２は第２スイッチング回路ＳＷ２を介して出力端Ｖｏに接続されていることになる。すなわち、第１スイッチング回路ＳＷ１は入力端ＶＩと一次巻線Ｌ１との間に設けられ、第２スイッチング回路ＳＷ２は出力端Ｖｏと二次巻線Ｌ２との間に設けられている。
【００１７】
第１スイッチング回路ＳＷ１は、４つのＮチャネル型の電界効果型トランジスタ（ＦＥＴ：Field effect transistor）、並びにこれを接続する配線及び接続点から構成されている。具体的に、第１スイッチング回路ＳＷ１においては、入力正極端子Ｖｉｎ+と入力負極端子Ｖｉｎ-との間に第１トランジスタＱ１及び第２トランジスタＱ２が直列に接続され、第３トランジスタＱ３及び第４トランジスタＱ４が直列に接続されている。より詳細には、第１トランジスタＱ１及び第３トランジスタＱ３のドレインが接続点Ｔ１,Ｔ２を介して入力正極端子Ｖｉｎ+と接続し、第２トランジスタＱ２及び第４トランジスタＱ４のソースが接続点Ｔ３,Ｔ４を介して入力負極端子Ｖｉｎ-と接続し、第１トランジスタＱ１のソースが接続点Ｔ５を介して第２トランジスタＱ２のドレインに接続し、第３トランジスタＱ３のソースが接続点Ｔ６を介して第４トランジスタＱ４のドレインに接続している。
【００１８】
一方、第２スイッチング回路ＳＷ２は、２つのＮチャネル型の電界効果型トランジスタ、並びにこれを接続する配線及び接続点から構成されている。具体的に、第２スイッチング回路ＳＷ２においては、二次巻線Ｌ２の一端に第５トランジスタＱ５のドレインが接続され、二次巻線Ｌ２の他端に第６トランジスタＱ６のドレインが接続され、第５トランジスタＱ５及び第６トランジスタＱ６のソース同士が接続点Ｔ７を介して接続している。
【００１９】
また、一次側においては、入力正極端子Ｖｉｎ+及び入力負極端子Ｖｉｎ-の間にコンデンサＣ１が設けられている。具体的に、コンデンサＣ１の一端は接続点Ｔ２を介して入力正極端子Ｖｉｎ+に接続し、他端は接続点Ｔ４を介して入力負極端子Ｖｉｎ-に接続している。更に、一次側において、絶縁トランスＴｒを構成する一次巻線Ｌ１の一端にチョークコイルＬ３が直列に接続されている。そして、当該チョークコイルＬ３の一端は接続点Ｔ５に接続し、一次巻線Ｌ１の他端は接続点Ｔ６に接続している。
【００２０】
一方、二次側においては、絶縁トランスＴｒを構成する二次巻線Ｌ２の中間点と出力正極端子Ｖｏｕｔ+との間にチョークコイルＬ４が設けられ、当該チョークコイルＬ４の一端が接続点Ｔ８を介して出力正極端子Ｖｏｕｔ+に接続している。そして、出力正極端子Ｖｏｕｔ+及び出力負極端子Ｖｏｕｔ-の間にコンデンサＣ２が設けられている。具体的に、コンデンサＣ２の一端は接続点Ｔ８を介して出力正極端子Ｖｏｕｔ+に接続し、他端は接続点Ｔ９を介して出力負極端子Ｖｏｕｔ-に接続している。
【００２１】
また、図１に示すように、絶縁型スイッチング電源１０は、第１トランジスタＱ１及び第２トランジスタＱ２の駆動ドライバとして第１ドライバ１１、第３トランジスタＱ３及び第４トランジスタＱ４の駆動ドライバとして第２ドライバ１２、及び第５トランジスタＱ５及び第６トランジスタＱ６の駆動ドライバとして第３ドライバ１３を有している。本実施形態においては、第１ドライバ１１及び第２ドライバ１２により、第１スイッチング回路ＳＷ１のオンオフ駆動をなす第１駆動部が構成され、第３ドライバ１３により、第２スイッチング回路ＳＷ２のオンオフ駆動をなす第２駆動部が構成されている。
【００２２】
更に、絶縁型スイッチング電源１０は、これら駆動ドライバを制御する制御部として機能するマイクロコントローラ１４を有し、一次側においては各駆動ドライバとマイクロコントローラとの間にデジタルアイソレータ１５を有している。このような構成から、マイクロコントローラ１４は、デジタルアイソレータ１５を介して第１ドライバ１１及び第２ドライバ１２に制御信号を供給し、第３ドライバ１３には直接的に制御信号を供給し、第１スイッチング回路ＳＷ１及び第２スイッチング回路ＳＷ２の駆動タイミングを制御している。
【００２３】
そして、絶縁型スイッチング電源１０は、一次側の駆動部（第１ドライバ１１及び第２ドライバ１２）の温度を測定する温度測定部としての機能する第１温度センサ１６、及び二次側の駆動部（第３ドライバ）温度を測定する温度測定部として機能する第２温度センサ１７を有している。すなわち、第１温度センサ１６は第１ドライバ１１及び第２ドライバ１２の近傍に設けられ、第２温度センサ１７は第３ドライバ１３の近傍に設けられる。各温度センサは、測定結果に関する情報をマイクロコントローラ１４に供給している。なお、各温度センサは、サーミスタ又は熱電対であってもよい。
【００２４】
本実施形態において、マイクロコントローラ１４は、図２に示すようなタイミングで各トランジスタが駆動するように、制御信号を各ドライバに供給している。特に、マイクロコントローラ１４は、一次側の各トランジスタの破壊を防止するために、第１トランジスタＱ１と第２トランジスタＱ２とが同時に駆動しないように制御するとともに、第３トランジスタＱ３と第４トランジスタＱ４とが同時に駆動しないように制御している。
【００２５】
また、マイクロコントローラ１４は、第１トランジスタＱ１及び第２トランジスタＱ２からなる第１スイッチ素子群と、第３トランジスタＱ３及び第４トランジスタＱ４からなる第２スイッチ素子群とのオンオフ駆動のタイミングを所望の周期でずれるように制御している。これにより、第１スイッチング素子群と第２スイッチ素子群とを交互に駆動させ、連続して電流を流すことが可能となり、絶縁型スイッチング電源１０を大型電力（数百ワット）に対応するスイッチング電源として機能させることができる。
【００２６】
一方、マイクロコントローラ１４は、連続して流れる電流を二次側でも連続して出力することができるように、第５トランジスタＱ５及び第６トランジスタＱ６のオンオフ駆動のタイミングが図２となるように、所望の制御信号を第３ドライバ１３に供給している。
【００２７】
以上の構成から、本実施形態に係る絶縁型スイッチング電源１０は、大型電力を出力可能とする絶縁型フルブリッジＤＣ-ＤＣコンバータとして機能することになる。
【００２８】
また、本実施形態に係る絶縁型スイッチング電源１０において、マイクロコントローラ１４は、第１ドライバ１１、第２ドライバ１２、第３ドライバ１３、及びデジタルアイソレータ１５の各伝送遅延時間から、一次側及び二次側に係る伝送遅延補正量を算出している。ここで、第１ドライバ１１、第２ドライバ１２、第３ドライバ１３、及びデジタルアイソレータ１５は、各装置の電気的特性に起因した温度特性を備えているため、各伝送遅延時間は各装置の温度に依存している。このため、マイクロコントローラ１４は、第１温度センサ１６及び第２温度センサ１７による温度測定結果を利用して、当該伝送遅延補正量を算出している。そして、マイクロコントローラ１４は、当該伝送遅延補正量に基づいて、各ドライバへ供給する制御信号の供給タイミングを調整している。
【００２９】
より具体的に、マイクロコントローラ１４の記憶部には、以下の表１に示すような遅延テーブルが記憶されている。
【００３０】
【表１】
2019122169.tif 000003
【００３１】
表１の遅延テーブルにおいては、絶縁型スイッチング電源１０の動作保証範囲が考慮され、−４０℃から１３０℃までの範囲における１０℃おきの各温度に対して、各部品の伝送遅延時間、１次側伝送遅延時間、２次側伝送遅延時間、及び伝送遅延補正量のデータが格納されている。本実施形態において、１次側伝送遅延時間とは、第１ドライバ１１とデジタルアイソレータ１５の伝送遅延時間の合計、又は第２ドライバ１２とデジタルアイソレータ１５の伝送遅延時間の合計である。なお、本実施形態において、第１ドライバ１１と第２ドライバ１２とは同一の電気的特性を備える装置から構成されているため、同様の伝送遅延時間となっている。一方、２次側伝送遅延時間とは、第３ドライバ１３の伝送遅延時間と同一である。そして、伝送遅延補正量とは、１次側伝送遅延時間と２次側伝送遅延時間との差分である。
【００３２】
上記遅延テーブルを構成する各温度データは、各ドライバ及びデジタルアイソレータ１５の伝送遅延時間を予め実際に測定したものを使用してもよく、或いは各ドライバ及びデジタルアイソレータ１５の供給者から提供される規格値を使用してもよい。
【００３３】
例えば、一次側及び二次側の温度が同一であり、第１温度センサ１６及び第２温度センサ１７における測定結果が３０℃である場合に、マイクロコントローラ１４は、遅延テーブルから伝送遅延補正量（３１nsec）を抽出し、当該伝送遅延補正量に基づいてデジタルアイソレータ１５及び第３ドライバ１３への制御信号の供給タイミングを調整する。具体的に、一次側の伝送遅延が３１ナノ秒大きいため、マイクロコントローラ１４は、第３ドライバ１３へ制御信号を供給する本来のタイミングよりも３１ナノ秒遅らせ、当該制御信号を第３ドライバ１３へ供給することになる。
【００３４】
また、一次側及び二次側の温度が異なり、第１温度センサ１６における測定結果が５０℃であり、第２温度センサ１７における測定結果が０℃である場合に、マイクロコントローラ１４は、一次側伝送遅延（４５nsec）と二次側遅延（１３nsec）とから伝送遅延補正量（３２nsec）を算出し、当該伝送遅延補正量に基づいてデジタルアイソレータ１５及び第３ドライバ１３への制御信号の供給タイミングを調整する。具体的に、一次側の伝送遅延が３２ナノ秒大きいため、マイクロコントローラ１４は、第３ドライバ１３へ制御信号を供給する本来のタイミングよりも３２ナノ秒遅らせ、当該制御信号を第３ドライバ１３へ供給することになる。
【００３５】
より具体的に、本実施形態において、マイクロコントローラ１４は、当該制御信号の供給タイミングの調整として、図２における第１トランジスタＱ１のオンのタイミングを基準として、第５トランジスタＱ５及び第６トランジスタＱ６のオンのタイミングが所定のタイミングとなるように調整している。ここで、第５トランジスタＱ５及び第６トランジスタＱ６のオンのタイミングは、絶縁型スイッチング電源１０に要求される特性等に応じ、第１トランジスタＱ１のオンのタイミングを基準としてあらかじめ決定されているが、マイクロコントローラ１４は、一次側及び二次側の温度変化に対応させて、当該タイミングを維持できるようにしている。すなわち、マイクロコントローラ１４は、各温度センサからの測定結果に応じて、第１トランジスタＱ１のオンのタイミングを基準とした第５トランジスタＱ５のオンのタイミング（ＴＰＨＡＳＥ）、及び第１トランジスタＱ１のオンのタイミングを基準とした第６トランジスタＱ６のオンのタイミング（ＴＳＰＨＡＳＥ）を変更することになる。そして、当該タイミングの変更を行うことにより、温度に起因した伝送遅延時間の変動が相殺され、第１トランジスタＱ１のオンのタイミングを基準としてした第５トランジスタＱ５及び第６トランジスタＱ６のオンのタイミングが維持されることになる。
【００３６】
なお、第１トランジスタＱ１を基準として、第２トランジスタＱ２、第３トランジスタＱ３、及び第４トランジスタＱ４の駆動タイミングが調整されているため、第１トランジスタＱ１以外の一次側のトランジスタと、第５トランジスタＱ５及び第６トランジスタＱ６との駆動タイミングの調整は実質的に行われていることになり、個別の調整は不要となっている。
【００３７】
以上のように、本実施形態においては、制御部として機能するマイクロコントローラ１４が、温度測定部として機能する第１温度センサ１６及び第２温度センサ１７による測定結果に対応した各伝送遅延時間から算出される伝送遅延補正量を利用し、第１駆動部の一部であるデジタルアイソレータ１５及び第２駆動部として機能する第３ドライバ１３への制御信号のタイミングが調整されている。このような調整により、絶縁型スイッチング電源１０の温度が変化した場合であっても、一次側及び二次側の伝送遅延の変動に対応させて、一次側の第１スイッチング回路ＳＷ１及び二次側の第２スイッチング回路ＳＷ２の駆動タイミングを調整し、所定の駆動タイミングを維持することができる。すなわち、本実施形態に係る絶縁型スイッチング電源１０によれば、温度変化に伴った伝送遅延の変化に対応しつつ、且つ優れた電源効率による駆動を実現することが可能になる
【００３８】
本実施形態に係る絶縁型スイッチング電源１０によれば、マイクロコントローラ１４が遅延テーブルを備えることにより、伝送遅延に係る演算処理の簡素化が可能となり、制御処理の短縮化及び絶縁型スイッチング電源１０自体のコスト低減を図ることができる。また、一次側及び二次側のそれぞれに温度センサが設けられているため、一次側と二次側における温度差が生じる場合であっても、温度変化に伴った伝送遅延の変化により正確に対応することができ、より優れた電源効率による駆動を実現することが可能になる。
【００３９】
上述した実施形態における遅延テーブルは、−４０℃から１３０℃までの範囲における１０℃おきの各温度に対して、各部品の伝送遅延時間、１次側伝送遅延時間、２次側伝送遅延時間、及び伝送遅延補正量のデータが格納されていたが、温度範囲及びその温度間隔は上述したものに限定されない。絶縁型スイッチング電源１０に要求される使用温度範囲が広がれば遅延テーブルの温度範囲も広げることが好ましい。また、温度間隔をより小さくする（例えば、１℃又は５℃おき）ことで、微小な温度変化に対応したタイミング調整を実現してもよい。一方で、絶縁型スイッチング電源１０の温度変化が小さいと見込まれる場合や、各部品の伝送遅延時間の温度変化小さい場合には、温度間隔を広げて演算処理の効率化及び短縮化を図ってもよい。
【００４０】
更に、上述した実施形態においては、一次側及び二次側に独立した温度センサを設けていたが、絶縁型スイッチング電源１０における温度ばらつきが小さい場合には、共通する１つの温度センサを設けるようにしてもよい。例えば、マイクロコントローラ１４に温度測定機能を持たせてもよい。これにより、絶縁型スイッチング電源１０のコスト低減を図ることができる。一方で、一次側内での温度ばらつきが生じる場合には、第１ドライバ１１及びデジタルアイソレータ１５に対して独立した温度センサを設けてもよい。
【００４１】
そして、上述した実施形態においては、フルブリッジ型を前提していたが、その他の絶縁型スイッチング電源に本発明を適用することもできる。すなわち、他の型式の絶縁型スイッチング電源であっても、一次側と二次側の温度変化に伴う伝送遅延補正量を算出し、当該伝送遅延補正量に基づいて制御信号の供給タイミングを調整することにより、温度変化に伴った伝送遅延の変化に対応しつつ、且つ優れた電源効率の実現が可能になる。
【符号の説明】
【００４２】
１０    絶縁型スイッチング電源
１１    第１ドライバ（第１駆動部）
１２    第２ドライバ（第１駆動部）
１３    第３ドライバ（第２駆動部）
１４    マイクロコントローラ（制御部）
１５    デジタルアイソレータ
１６    第１温度センサ（温度測定部）
１７    第２温度センサ（温度測定部）
Ｃ１,Ｃ２    コンデンサ
Ｌ１    一次巻線
Ｌ２    二次巻線
Ｌ３    チョークコイル
Ｌ４    チョークコイル
Ｑ１    第１トランジスタ
Ｑ２    第２トランジスタ
Ｑ３    第３トランジスタ
Ｑ４    第４トランジスタ
Ｑ５    第５トランジスタ
Ｑ６    第６トランジスタ
ＳＷ１    第１スイッチング回路
ＳＷ２    第２スイッチング回路
Ｔｒ    絶縁トランス
Ｔ１〜Ｔ９    接続点
Ｖｉｎ+    入力正極端子
Ｖｉｎ-    入力負極端子
ＶＩ    入力端
Ｖｏｕｔ+    出力正極端子
Ｖｏｕｔ-    出力負極端子
Ｖｏ    入力端
【図１】
2019122169.tif 000004
【図２】
2019122169.tif 000005